(57)【要約】【課題】  複数の育苗ポットが載置された状態において、育苗ポットの陳列状態を見栄えの良い陳列状態とすることができると共に、育苗ポットの視認性を向上させることができる育苗ポット用搬送体を提供することを課題とする。また、該育苗ポット用搬送体が収容された育苗ポット用搬送資材を提供することを課題とする。【解決手段】  育苗ポットを差し入れ可能に構成された複数の差入孔を備え、各差入孔に育苗ポットを差し入れることで複数の育苗ポットを載置可能に構成された育苗ポット用搬送体であって、前記差入孔を少なくとも一つ備える複数の台座部材と、各台座部材を異なる高さ位置に支持可能に構成された支持部材とを備えることを特徴とする。【選択図】図１
2010263806.tif 000002
【特許請求の範囲】
【請求項１】
育苗ポットを差し入れ可能に構成された複数の差入孔を備え、各差入孔に育苗ポットを差し入れることで複数の育苗ポットを載置可能に構成された育苗ポット用搬送体であって、前記差入孔を少なくとも一つ備える複数の台座部材と、各台座部材を異なる高さ位置に支持可能に構成された支持部材とを備えることを特徴とする育苗ポット用搬送体。
【請求項２】
前記支持部材は、奥行き及び高さの異なる位置に各台座部材を支持可能に構成され、複数の台座部材が階段状に配置されるように構成されていることを特徴とする請求項１に記載の育苗ポット用搬送体。
【請求項３】
前記台座部材のそれぞれが支持部材に対して着脱自在に構成されていることを特徴とする請求項１または２に記載の育苗ポット用搬送体。
【請求項４】
前記台座部材は、差入孔に差し入れられた育苗ポットを下方から支えるポット支持部を備えることを特徴とする請求項１乃至３の何れか一つに記載の育苗ポット用搬送体。
【請求項５】
紙製素材を用いて形成されていることを特徴とする請求項１乃至４の何れか一つに記載の育苗ポット用搬送体。
【請求項６】
請求項１乃至５の何れか一つに記載の育苗ポット用搬送体と、該育苗ポット用搬送体を収容可能に構成された収容箱とから構成されることを特徴とする育苗ポット用搬送資材。
【発明の詳細な説明】
【技術分野】
【０００１】
本発明は、複数の育苗ポットを載置可能に構成された育苗ポット用搬送体及び育苗ポット用搬送資材に関する。
【背景技術】
【０００２】
従来、植物の苗は、育苗ポット内に植えられた状態で流通販売されている。この際、育苗ポットを効率的に搬送する目的や、搬送中に育苗ポットが転倒するのを防止する目的から、複数の育苗ポットを載置可能に構成された育苗ポット用搬送体が用いられている。
【０００３】
該育苗ポット用搬送体としては、一般的に、樹脂製素材を用いて成形された育苗ポット用トレー（以下、単にトレーと記す）が広く用いられており、その一つとして、育苗ポットを差し入れ可能に構成された複数の差入孔を備え、各差入孔に育苗ポットが差し入れられた状態で、各育苗ポットが同一平面上に整列配置されるように構成されたものが提供されている（特許文献１及び２参照）。
かかるトレーは、複数の育苗ポットを効率的に搬送することができると共に、搬送中に育苗ポットが転倒してしまうのを防止することができる。
【０００４】
そして、前記トレーは、育苗ポットが載置された状態で搬送先（例えば、店頭）において陳列される場合もある。かかる場合、前記トレーは、一般的に、購入者の目線よりも低い位置、例えば、足もとに陳列される。そのため、購入者は、トレーを上方から見下ろした状態で苗を選択し、その苗が植えられた育苗ポットを抜き取ったり、或いは、トレーごと持ち帰ったりしている。
【先行技術文献】
【特許文献】
【０００５】
【特許文献１】特開２００４−１５４０３１号公報
【特許文献２】特開２００６−２５４８４３号公報
【発明の概要】
【発明が解決しようとする課題】
【０００６】
しかしながら、上記のようなトレーは、主に、育苗ポットの搬送効率の向上や、転倒の防止を意図して構成されたものであるため、上述したように低い位置に陳列された際に、複数の育苗ポットが密集した状態で平面的に配置されることとなる。そのため、各育苗ポット内の苗を購入者にアピールできるような態様の見栄えの良い陳列状態とすることが困難であり、また、複数の育苗ポットから所望するものを探し出すことが困難となる場合もある。
【０００７】
そこで、本発明は、複数の育苗ポットが載置された状態において、育苗ポットの陳列状態を見栄えの良い陳列状態とすることができると共に、育苗ポットの視認性を向上させることができる育苗ポット用搬送体を提供することを課題とする。また、該育苗ポット用搬送体が収容された育苗ポット用搬送資材を提供することを課題とする。
【課題を解決するための手段】
【０００８】
本発明にかかる育苗ポット用搬送体は、育苗ポットを差し入れ可能に構成された複数の差入孔を備え、各差入孔に育苗ポットを差し入れることで複数の育苗ポットを載置可能に構成された育苗ポット用搬送体であって、前記差入孔を少なくとも一つ備える複数の台座部材と、各台座部材を異なる高さ位置に支持可能に構成された支持部材とを備えることを特徴とする。
【０００９】
かかる構成の育苗ポット用搬送体によれば、前記差入孔を少なくとも一つ備える複数の台座部材と、各台座部材を異なる高さ位置に支持可能に構成された支持部材とを備えることで、複数の台座部材のそれぞれを異なる高さ位置に配置することができるので、各台座部材の差入孔に差し入れた育苗ポットを台座部材と同様に異なる高さ位置に配置することができる。従って、台座部材毎の育苗ポットが上下方向に離間した状態となり、育苗ポットを横方向からも視認することが容易となる。このため、育苗ポットの陳列状態の見栄えを向上させることができると共に、各育苗ポットの視認性を向上させることができる。
【００１０】
また、前記支持部材は、奥行き及び高さの異なる位置で各台座部材を支持可能に構成され、複数の台座部材が階段状に配置されるように構成されていることが好ましい。
【００１１】
かかる構成の育苗ポット用搬送体によれば、前記支持部材が奥行き及び高さの異なる位置で各台座部材を支持可能に構成され、複数の台座部材が階段状に配置されるように構成されていることで、複数の台座部材を雛壇状に配置することができ、育苗ポットの陳列状態の見栄えを向上させることができると共に、各育苗ポットの視認性を向上させることができる。
【００１２】
また、前記台座部材のそれぞれが支持部材に対して着脱自在に構成されていることが好ましい。
【００１３】
かかる構成の育苗ポット用搬送体によれば、前記台座部材のそれぞれが支持部材に対して着脱自在に構成されていることで、例えば、一の台座部材に複数の育苗ポットが載置されている場合、購入者がその台座部材を支持部材から取り外して台座部材ごと複数の育苗ポットを持ち帰ることができる。これにより、購入者が複数の苗を購入して持ち帰る際の育苗ポットの搬送性を向上させることができる。また、取り外された台座部材に替わって他の台座部材を補充することも可能となり、良好な陳列状態を容易に維持することができる。
【００１４】
また、前記台座部材は、差入孔に差し入れられた育苗ポットを下方から支えるポット支持部を備えることが好ましい。
【００１５】
かかる構成の育苗ポット用搬送体によれば、台座部材が差入孔内に配置された育苗ポットを下方から支えるポット支持部を備えることで、育苗ポットが差入孔内に配置された状態でポット支持部に支えられるため、より安定した状態で育苗ポットを搬送し、陳列することができる。特に、育苗ポットが柔軟性を有する素材から形成されている場合であっても、差入孔（具体的には、差入孔の周縁部）とポット支持部とによって確実に育苗ポットを安定させることができる。
【００１６】
また、本発明にかかる育苗ポット用搬送体は、紙製素材を用いて形成されていることが好ましい。
【００１７】
かかる構成の育苗ポット用搬送体は、紙製素材を用いて形成されていることで、樹脂製素材を用いて形成されている場合よりも軽量化を図ることができる。また、樹脂製素材を用いて形成されている場合よりも育苗ポット用搬送体を容易に廃棄処分することができ、環境への影響を軽減することができる。
【００１８】
本発明にかかる育苗ポット用搬送資材は、上記の何れかの育苗ポット用搬送体と、該育苗ポット用搬送体を収容可能に構成された収容箱とから構成されることを特徴とする。
【００１９】
かかる構成の育苗ポット用搬送資材によれば、前記育苗ポット用搬送体と、該育苗ポット用搬送体を収容可能に構成された収容箱とから構成されることで、収容箱に育苗ポットが載置された育苗ポット用搬送体を収容した状態で搬送することができるため、搬送中に
苗を傷めてしまうことを防止することができる。また、台座部材のそれぞれが異なる高さ位置に配置された状態で収容箱に収容可能である場合には、搬送先（例えば、店頭）において、育苗ポット用搬送体を収容箱から取り出すことで、迅速、且つ、容易に育苗ポットが陳列された状態とすることができる。このため、育苗ポットを陳列する際の手間を軽減することができる。
【発明の効果】
【００２０】
以上のように、本発明によれば、複数の育苗ポットが載置された状態において、育苗ポットの陳列状態を見栄えの良い陳列状態とすることができると共に、育苗ポットの視認性を向上させることができる。
【図面の簡単な説明】
【００２１】
【図１】本実施形態にかかる育苗ポット用搬送体に育苗ポットが載置された状態を示した斜視図。
【図２】本実施形態にかかる台座部材を示した斜視図。
【図３】図２におけるＸ−Ｘ断面を示した断面図。
【図４】本実施形態にかかる支持部材を示した斜視図。
【図５】本実施形態にかかる育苗ポット用搬送体を組み立てた状態を示した斜視図。
【図６】本実施形態にかかる育苗ポット用搬送資材を示した斜視図。
【図７】他の実施形態かかる育苗ポット用搬送資材を示した斜視図。
【図８】さらに他の実施形態かかる育苗ポット用搬送資材を示した斜視図。
【発明を実施するための形態】
【００２２】
以下、本発明の一実施形態について図１〜６を参照しながら説明する。
【００２３】
本実施形態にかかる育苗ポット用搬送体（以下、単に搬送体と記す）１は、複数の育苗ポットＡを搬送可能に構成されると共に、搬送先（例えば、店頭）において、育苗ポットＡを陳列する際に用いられるものである。具体的には、搬送体１は、図１に示すように、育苗ポットＡを載置可能に構成された複数の台座部材２と、該台座部材２を支持可能に構成された支持部材３とを備えている。搬送体１を形成する素材としては、紙製素材を用いることが好ましく、例えば、段ボール等を用いて形成することがより好ましい。
【００２４】
前記台座部材２は、育苗ポットＡを差し入れ可能に構成された少なくとも一つの差入孔２ａを備えている。具体的には、本実施形態に係る台座部材２は、図２に示すように、複数の差入孔２ａを備え、複数の差入孔２ａが一列に並ぶように形成されている。また、台座部材２は、複数の差入孔２ａが並ぶ一方向が長手方向となるように形成されている。そして、差入孔２ａに育苗ポットＡを差し入れることで、育苗ポットＡが台座部材２に載置されるように構成されている。
【００２５】
また、台座部材２は、差入孔２ａに差し入れられた育苗ポットＡを下方から支えるポット支持部２２を備えている。具体的には、本実施形態に係る台座部材２は、図３に示すように、前記差入孔２ａが形成された上面部２１と、該上面部２１に対向するように形成されたポット支持部２２と、前記上面部２１とポット支持部２２との間に形成された連結部２３とを備えている。
【００２６】
前記上面部２１は、台座部材２の一方向（即ち、長手方向）に沿って形成されている。即ち、上面部２１は、台座部材２の一方向が長手方向となるように板状（具体的には、長方形の板状）に形成され、複数の差入孔２ａが長手方向に間隔を空けて一列に形成されている。差入孔２ａは、上下方向に開口するように形成され、上方から育苗ポットＡを差し入れ可能に構成されている。差入孔２ａは、育苗ポットＡの断面形状（例えば、円形状）に対応した形状に形成されている。また、差入孔２ａは、育苗ポットＡが差し入れられた状態において、図３に示すように、開口部が育苗ポットの外周の少なくとも一部に（好ましくは、外周の全域に亘って）接するように形成されることが好ましい。
【００２７】
前記ポット支持部２２は、上面部２１との間に所定の間隔が形成されるように上面部２１と対向するように配置されている。具体的には、ポット支持部２２は、育苗ポットＡが差入孔２ａに差し入れられた状態で、育苗ポットＡの底部に下方から当接するように構成されている。また、ポット支持部２２は、上面部２１と同様に、台座部材２の一方向に沿って形成されている。即ち、ポット支持部２２は、前記一方向を長手方向とする板状（具体的には、長方形の板状）に形成され、上面部２１に略平行するように構成されている。
【００２８】
前記連結部２３は、上面部２１とポット支持部２２との対向する端部間を連結するように構成されている。具体的には、連結部２３は、台座部材２の長手方向に沿って面状に形成され、上面部２１及びポット支持部２２の長手方向に直交する短手方向の対向する両端部間を連結するように一対形成されている。
【００２９】
つまり、前記台座部材２は、前記一方向が長手方向となる筒状（具体的には、角筒状）に形成され、その軸線方向に長手をなすように形成されている。本実施形態に係る台座部材２は、平面状に形成された紙製素材が一方向を軸に巻き回されて筒状（具体的には、角筒状）に形成されたものである。そのため、かかる台座部材２には、平面状の紙製素材の前記一方向に交差する方向の両端部が重なり合って接着された接合部２４が形成されている。
【００３０】
また、台座部材２は、前記支持部材３と連結可能に構成されている。本実施形態の台座部材２は、支持部材３に対して着脱自在に構成されている。より詳しくは、台座部材２は、前記支持部材３の一部を差し込み可能に構成された差込部２ｂを備えている。該差込部２ｂは、台座部材２の一部がスリット状に切り込まれて形成されている。本実施形態の差込部２ｂは、台座部材２が前記一方向に交差する方向（具体的には、長手方向に略直交する方向）に切り込まれて形成されている。差込部２ｂは、上面部２１以外の領域（ポット支持部２２と一方の連結部２３）が台座部材２の長手方向に略直交する方向にスリット状に切り込まれて形成されている。
【００３１】
また、差込部２ｂは、差入孔２ａが形成された領域から離れた位置（例えば、差入孔２ａの間）に形成されている。これにより、差込部２ｂに差し込まれた支持部材３の一部が上面部２１を下方から支持可能となっている。差込部２ｂが形成される位置としては特に限定されるものではないが、本実施形態においては、差込部２ｂは、台座部材２の長手方向に間隔を空けて一対形成されている。より詳しくは、差込部２ｂは、台座部材２の長手方向の両端部に一対形成されている。
【００３２】
前記支持部材３は、台座部材２を載置可能に構成されている。具体的には、支持部材３は、複数の台座部材２を異なる高さ位置に支持可能に構成されている。本実施形態の支持部材３は、奥行き及び高さの異なる位置に各台座部材２を支持可能に構成され、複数の台座部材２が階段状に配置されるように構成されている。即ち、支持部材３は、台座部材２を載置する載置部３ａを複数備え、該載置部３ａのそれぞれが異なる高さ位置（詳しくは、奥行き及び高さの異なる位置）となるように構成されている。
【００３３】
本実施形態に係る支持部材３は、一対の脚部材３１から構成されている。該一対の脚部材３１は、同一の形状を有し、全体が一枚の板状に形成されている。また、一対の脚部材３１は、起立した状態で台座部材２の長手方向に間隔を空けて配置され、台座部材２を下方から支えるように構成されている。
【００３４】
また、前記脚部材３１は、起立した状態における上端部（平面視一方向の一端部）に前記載置部３ａが複数形成されている。即ち、脚部材３１は、起立した状態において、奥行き方向（平面視一方向に直交する他方向）の異なる位置に異なる高さで複数の載置部３ａが形成されている。より詳しくは、脚部材３１は、起立した状態における上端部が奥行き方向の一端側から他端側に向かって階段状に形成されることで複数の載置部３ａが形成されている。本実施形態の脚部材３１は、奥行き方向の一端側から他端側に向かって載置部３ａの高さ位置が階段状に低くなるように形成されている。
【００３５】
また、各載置部３ａは、脚部材３１が起立した状態において、略水平となるように形成されている。また、各載置部３ａの奥行き方向の長さとしては、前記上面部２１の長手方向に直交する短手方向の長さよりも長くなるように形成されることが好ましい。
【００３６】
また、前記載置部３ａは、前記差込部２ｂに差し込み可能に構成されている。具体的には、載置部３ａは、全体が板状に形成された脚部材３１の上端部を形成し、その厚みが差込部２ｂに差し込み可能に形成されている。そして、脚部材３１に台座部材２が載置された際に、載置部３ａが上面部２１に下方から当接するように構成されている。
【００３７】
次に、支持部材３に複数の台座部材２を取り付ける際の手順について説明する。まず始めに、板状に形成された一対の脚部材３１を起立した状態で間隔を空けて平行に配置する。そして、同一の高さ位置にある一対の載置部３ａを一の台座部材２に形成された一対の差込部２ｂにそれぞれ差し込み、一対の脚部材３１（具体的には、載置部３ａ）に台座部材２を載置する。これにより、上面部２１の長手方向の間隔を空けた２カ所に下方から載置部３ａが当接した状態となり、台座部材２が略水平に支えられた状態となる。
【００３８】
次に、これと同様にして、他の高さ位置にある載置部３ａにも他の台座部材２を順次載置する。これにより、各台座部材２は、図５に示すように、それぞれの長手方向が略平行した状態で支持部材３に載置されると共に、台座部材２のそれぞれが奥行き及び高さの異なる位置に配置され、階段状（雛壇状）となるように構成されている。
【００３９】
また、各台座部材２の長手方向に対して、脚部材３１の奥行き方向（平面視他方向）が略直交することとなるため、搬送体１全体を安定した状態とすることができる。なお、以下では、階段状に異なる高さ位置となるように配置された複数の台座部材２のうち、高さ位置の高い側から低い側へ向かう方向を正面方向という。
【００４０】
また、上記搬送体１は、図６に示すように、自身を収容可能に構成された収容箱４０と共に育苗ポット用搬送資材（以下、単に搬送資材と記す）４を構成してもよい。前記収容箱４０は、搬送体１を内部に配置可能に構成された箱本体４１と、該箱本体４１を覆うように形成された蓋体４２とから構成されている。
【００４１】
前記箱本体４１は、前記搬送体１が内部に載置されるように構成されている。具体的には、箱本体４１は、搬送体１を載置する底部４１ａと、該底部４１ａから起立する側壁部４１ｂとから構成されている。前記底部４１ａは、搬送体１が載置された状態で、搬送体１の全体が底部４１ａの領域内に収まるような形状（具体的には、平面視四角形状の板状）に形成されている。
【００４２】
前記側壁部４１ｂは、底部４１ａの周縁部に沿って起立するように形成されている。本実施形態の側壁部４１ｂは、底部４１ａの周方向の全域に亘って形成されている。また、側壁部４１ｂは、搬送体１が箱本体４１内に載置された際に、搬送体１の全体が箱本体４１の内側に位置するように形成されている。即ち、側壁部４１ｂの上端部は、階段状に配置された台座部材２のうち最も高い位置の台座部材２よりも高い位置となるように形成されている。
【００４３】
一方、前記蓋体４２は、搬送体１が内部に載置された箱本体４１の全体を上方から覆うように形成されている。本実施形態の蓋体４２は、箱本体４１を収容する収容空間を内部に備え、該収容空間に連通する開口部から箱本体４１を収容可能に構成されている。より詳しくは、蓋体４２は、箱本体４１を収容可能な箱状の形状を有し、搬送体１が内部に載置された箱本体４１を上方から覆うようにして開口部から収容空間に収容するように構成されている。
【００４４】
以上のように、本実施形態に係る搬送体１によれば、複数の育苗ポットＡが載置された状態において、育苗ポットＡの陳列状態を見栄えの良い陳列状態とすることができると共に、育苗ポットＡの視認性を向上させることができる。
【００４５】
即ち、前記搬送体１は、前記差入孔２ａを少なくとも一つ備える複数の台座部材２と、各台座部材２を異なる高さ位置に支持可能に構成された支持部材３とを備えることで、各台座部材２の差入孔２ａに差し入れた育苗ポットＡを台座部材２と同様に、異なる高さ位置に配置することが可能となる。これにより、育苗ポットＡが上下方向に離間した状態となって育苗ポットＡを横方向からも視認することが容易となる。このため、育苗ポットＡの陳列状態の見栄えを向上させることができると共に、複数の育苗ポットＡが載置された状態であっても各育苗ポットＡの視認性を向上させることができる。
【００４６】
また、前記搬送体１は、前記支持部材３が奥行き及び高さの異なる位置に各台座部材２を配置可能に構成され、複数の台座部材２が階段状（言い換えれば、雛壇状）となることで、育苗ポットＡの陳列状態の見栄えを向上させることができると共に、各育苗ポットＡの視認性を向上させることができる。
【００４７】
また、前記搬送体１は、前記台座部材２のそれぞれが支持部材３に対して着脱自在に構成されていることで、例えば、一の台座部材２に複数の育苗ポットＡが載置されている場合、購入者がその台座部材２を支持部材３から取り外して台座部材２ごと複数の育苗ポットＡを持ち帰ることができる。これにより、購入者が複数の苗を購入して持ち帰る際の育苗ポットＡの搬送性を向上させることができる。また、取り外された台座部材２に替わって他の台座部材２を補充することも可能となり、良好な陳列状態を容易に維持することができる。
【００４８】
また、前記搬送体１は、台座部材２が差入孔２ａ内に配置された育苗ポットＡを下方から支えるポット支持部２２を備えることで、育苗ポットＡが差入孔２ａ内に配置された状態でポット支持部２２によって支えられるため、より安定した状態で育苗ポットＡを搬送し、陳列することができる。特に、育苗ポットＡが柔軟性を有する素材から形成されている場合であっても、差入孔２ａとポット支持部２２とによって確実に育苗ポットＡを安定させることができる。
【００４９】
また、前記搬送体１は、紙製素材を用いて形成されていることで、樹脂製素材を用いて形成されている場合よりも軽量化を図ることができる。また、樹脂製素材を用いて形成されている場合よりも容易に廃棄処分することができ、環境への影響を軽減することができる。
【００５０】
前記搬送資材４は、搬送体１が収容箱４０に収容されていることで、苗を保護しつつ安全に搬送することができる。また、台座部材２のそれぞれが異なる高さ位置に配置された状態で収容箱４０に収容されている場合には、搬送先（例えば、店頭）において、搬送体１を収容箱４０から取り出すことで、迅速、且つ、容易に育苗ポットＡが陳列された状態とすることができる。このため、育苗ポットＡを陳列する際の手間を軽減することができる。
【００５１】
なお、本発明に係る育苗ポット用搬送体は、上記実施形態に限定されるものではなく、本発明の要旨を逸脱しない範囲で種々の変更が可能である。
【００５２】
例えば、上記実施形態では、差入孔２ａが台座部材２の長手方向に向かって一列形成されているが、これに限定されるものではなく、複数列形成されるようにしてもよい。かかる場合、育苗ポットＡが載置された各台座部材２を水平方から見た際に、各育苗ポットＡが重なり合わない位置に形成されることが好ましい。
【００５３】
また、上記実施形態においては、育苗ポットＡが差入孔２ａに差し入れられた状態で、ポット支持部２２によって支えられるように構成されているが、これに限定されるものではなく、ポット支持部２２を設けずとも差入孔２ａの開口部のみによって育苗ポットＡが支えられるようにしてもよい。例えば、育苗ポットＡが剛性を有する素材から形成され、その開口部が差入孔２ａの開口部よりも平面視において大きく形成されることで、育苗ポットＡが差入孔２ａに差し入れられた際に、育苗ポットＡの開口部の外周と差入孔２ａの周縁部とが接触し、差入孔２ａの周縁部のみによって育苗ポットＡが支えられるようにしてもよい。
【００５４】
また、上記実施形態では、搬送体１が各台座部材２が異なる高さ位置となるように配置された状態で収容箱４０の内部に収容されて育苗ポット用搬送資材４が構成されているが、これに限定されるものではなく、例えば、図７に示すように、各台座部材２を同一平面上に配置した状態で収容箱に収容し、育苗ポット用搬送資材５を構成するようにしてもよい。本実施形態に係る育苗ポット用搬送資材５は、同一平面上に配置された複数の台座部材２と支持部材３（具体的には、一対の脚部材３１）とが箱状の収容体５１内に収容されて構成されている。該収容体５１は、複数の台座部材２が互いの長手方向を平行にした状態で載置可能に構成されている。本実施形態の収容体５１は、平面視四角形状のトレー状に形成され、台座部材２を載置する領域の一方向の長さが台座部材２の一方向の長さと略等しくなるように形成されている。そして、収容体５１上に載置された複数の台座部材２が同一平面上に配列されるように構成されている。また、台座部材２と収容体５１との間には、一対の脚部材３１が配置されている。
【００５５】
かかる構成の育苗ポット用搬送資材５は、複数の台座部材２が同一平面上に配置されるため、前記搬送資材４よりも上下方向の空間を省スペース化することができ、育苗ポットＡを搬送する際の取り回しを容易にすることができる。また、搬送先において、従来のトレーと同様に、購入者の足もとに配置することができると共に、搬送体１を組み立てて陳列することもできる。また、かかる育苗ポット用搬送資材５を前記搬送資材４と同様に、蓋体で覆うように収容してもよい。かかる場合の蓋体は、搬送資材４の蓋体４２よりも高さ方向の省スペース化を図ることができる。
【００５６】
また、上記実施形態では、側壁部４１ｂが底部４１ａの周方向の全域に亘って形成されているが、これに限定されるものではなく、搬送体１が箱本体４１内に載置された状態において、搬送体１の正面方向に開放するように形成されている。これにより、箱本体４１は、搬送体１が内部に載置された状態において、搬送体１の正面方向から搬送体１を視認することが可能となり、搬送先において蓋体４２を取り外すことで、容易に育苗ポットを陳列した状態にすることができる。
【００５７】
また、上記実施形態では、育苗ポット用搬送資材４は、蓋体４２を備えて構成されているが、これに限定されるものではなく、蓋体４２を備えない態様のものであってもよい。
【符号の説明】
【００５８】
１…育苗ポット用搬送体、２…台座部材、２ａ…差入孔、２ｂ…差込部、３…支持部材、３１…脚部材、３ａ…載置部、４，５…育苗ポット用搬送資材、２１…上面部、２２…ポット支持部、２３…連結部、２４…接合部、４０…収容箱、４１…箱本体、４１ａ…底部、４１ｂ…側壁部、４２…蓋体、５１…収容体、Ａ…育苗ポット
【図１】
2010263806.tif 000003
【図２】
2010263806.tif 000004
【図３】
2010263806.tif 000005
【図４】
2010263806.tif 000006
【図５】
2010263806.tif 000007
【図６】
2010263806.tif 000008
【図７】
2010263806.tif 000009
【図８】
2010263806.tif 000010